(57)【要約】【課題】オフセット輪転印刷機において、印刷品質劣化の一因であるブランケットパイリングの発生や成長を大幅に削減し、しかもパターン依存性をもたない防止方法及び該方法を実施する機能を具備した印刷機を提供することを目的とする。【解決手段】版胴からブランケット胴への印刷パターンの転移位置を版胴の所定の回転数以下の回転数毎に変位させる事により、インキや用紙の物性、印刷条件によるブランケットパイリングの発生頻度や成長速度に応じて版胴とブランケット胴の位置関係を適切なタイミング、頻度で変位させることができる。変位によってパイリング発生点でインキの受理、転移が行われるようにしたため堆積物がインキと共に印刷している用紙に転移しブランケットパイリングが消滅乃至減少し印刷品質劣化を防止することが出来る。【選択図】図２
2009262507.tif 000002
【特許請求の範囲】
【請求項１】
オフセット輪転印刷機において、版胴からブランケット胴への印刷パターンの転移位置を版胴の所定の回転数以下の回転数毎に変位させ、版胴の回転方向成分を含む変位動作をさせる事を特徴とするブランケットパイリング防止方法。
【請求項２】
前記変位は版胴の回転方向成分と回転軸方向成分をもち、それぞれ予め設定した所定の変位巾の領域内を揺動変位させる事を特徴とする請求項１記載のブランケットパイリング防止方法。
【請求項３】
前記印刷機は多色刷り印刷機であって、前記変位は多色刷り印刷機の見当合わせの基準となる印刷ユニットの版胴を変位させる事によりブランケット胴への印刷パターンの転移位置を変位させる事を特徴とする請求項１乃至２のいずれか一項に記載のブランケットパイリング防止方法。
【請求項４】
前記多色刷り印刷機の見当合わせの基準となる印刷ユニットの版胴を変位させる変位巾が、基準印刷ユニット以外の版胴の、見当合わせのための追従動作範囲より大きい事を特徴とする請求項３記載のブランケットパイリング防止方法。
【請求項５】
前記多色刷り印刷機の、見当合わせの基準となる印刷ユニット以外の印刷ユニットに於いて、見当が一致する位置を中心に所定の範囲で版胴を揺動変位させる事を特徴とする請求項３記載のブランケットパイリング防止方法。
【請求項６】
オフセット輪転印刷機において、ブランケット胴に対する版胴の相対位置を変位させる版胴位置制御信号に基づき版胴の位置を制御する版胴位置制御手段と、予め設定された、版胴の回転に従った版胴の変位動作を記憶し、版胴の回転信号に従って版胴の変位動作信号を出力する変位動作制御手段を具備し、前記変位動作制御手段からの変位動作信号を含む版胴位置制御信号により、ブランケット胴に対する版胴の相対位置を変位させ、前記請求項１乃至５のいずれか一項に記載の方法によりブランケットパイリングを防止することを特徴とする印刷機。
【発明の詳細な説明】
【技術分野】
【０００１】
本発明はオフセット印刷で問題になるブランケットパイリングを防止する方法と、該方法を実施する機能を具備した印刷機に関する。
【背景技術】
【０００２】
オフセット印刷ではブランケット上の、特に画線部の周縁にインキや紙粉が堆積して盛り上がり、それが印刷品質に影響する「ブランケットパイリング」と呼ばれる現象が発生する。この現象が発生すると、その近傍でブランケットから印刷用紙へのインキの転移が阻害され「カスレ」や濃度低下など印刷品質が劣化するため印刷機を一旦停止してブランケット洗浄を実施して堆積物を除去するなど対応が必要となる。
【０００３】
多色輪転印刷機では、この運転停止と洗浄時間で印刷機の運転率が低下したり材料ロス（損紙）が生じるため問題となっている。これらを解決すべく印刷材料や部材の改良によりブランケットパイリングを防止する技術が提案されているが、（用紙：特開平０９−２９５４６９、インキ：特開平０８−１１３７４８、ブランケット：特開平１１−１４０７９１）充分な効果は得られていない。
【特許文献１】特開平０９−２９５４６９
【特許文献２】特開平０８−１１３７４８
【特許文献３】特開平１１−１４０７９１
【０００４】
印刷方法で防止する技術として特開２００４−１２２７１４が提案されている。この技術は多色刷り印刷機において、印刷の色間見当合せの基準となる印刷ユニットを決め、その印刷ユニット以外の版胴またはブランケット胴を回転軸方向に移動またはオシレートして相対位置を変位させることによりパイリングを防止する方法を開示している。
【０００５】
しかし、この技術では、基準となる印刷ユニットは版胴とブランケット胴の位置関係が固定されているため、基準でない印刷ユニットの版胴よりもパイリングが進行しやすくなるので印刷の進行に伴い基準となる印刷ユニットを手動もしくは自動で順次他の印刷ユニットに切り替える事により全ての版についてパイリングを防止している。
【０００６】
この方法は基準印刷ユニットがあることが前提であるが、基準印刷ユニットはかならず版胴とブランケット胴の位置関係が固定されてしまうため基準印刷ユニットが他の印刷ユニットに切り替るまでの期間はブランケットパイリングが進行することになる。また、見当合わせ機構を用いて版胴を回転軸方向に揺動させる方法も開示されているが、この方法では印刷パターンが回転軸方向に平行な直線状の絵柄を含む場合、ブランケット上でパターン全体の位置は変位するものの「画線部の周縁」部の位置が変位しない部分が生ずるため局部的にブランケットパイリングが進行する。
【０００７】
また、回転軸方向のみの変位では、版からブランケットへのインキ転移時に生ずる「糸引き現象」によって発生するインキミストがブランケット上で絵柄の後方に付着することに起因する絵柄から版胴の回転方向に発生するブランケットパイリングに対して除去作用が機能しないという問題がある。
【０００８】
【特許文献４】特開２００４−１２２７１４
【発明の開示】
【発明が解決しようとする課題】
【０００９】
以上説明したように従来技術ではブランケットパイリングを充分に防止することができなかった。近年多用されつつあるＦＭスクリーニングなどブランケットパイリングが発生しやすく、しかも、わずかな「カスレ」も視認しやすく品質不良が顕在化する印刷などにおいても品質劣化を起こしにくいブランケットパイリング防止策が求められていた。本発明は、このような事情に鑑みてなされたものであって、ブランケットパイリングの発生、成長を大幅に削減し、しかもパターン依存性をもたない防止方法及び該方法を実施する機能を具備した印刷機を提供することを目的とする。
【課題を解決するための手段】
【００１０】
請求項１ 記載のブランケットパイリング防止方法は、版胴からブランケット胴への印刷パターンの転移位置を版胴の所定の回転数以下の回転数毎に変位させ、版胴の回転方向成分を含む変位動作をさせる事を特徴とする。
【００１１】
この請求項１ 記載のブランケットパイリング防止方法によれば、インキや用紙の物性、印刷条件によるブランケットパイリングの発生頻度や成長速度に応じて印刷中の版胴とブランケット胴の位置関係を適切なタイミング、頻度で変位させることができる。変位によってパイリング発生点を含む領域でインキの受理、転移が行われるようにしたためブランケットパイリングの堆積物がインキと共に印刷している用紙に転移しブランケットパイリングが消滅乃至減少し印刷品質劣化を防止することが出来る。
【００１２】
また、前記変位動作が版胴の回転方向成分を持つため版胴の回転軸方向のみの変位では防止出来ない前記「糸引き」に起因して絵柄から版胴の回転方向に発生するブランケットパイリングなども防止出来る。
【００１３】
請求項２ 記載のブランケットパイリング防止方法は、前記変位が版胴の回転方向成分と回転軸方向成分をもち、それぞれ予め設定した所定の変位巾の領域内を揺動変位させる事を特徴とする。
【００１４】
この請求項２ 記載のブランケットパイリング防止方法によれば、版胴とブランケット胴の相対位置の変位の軌跡が二次元領域を走査するためインキの受理転移を行う画線部の軌跡が隙間なくブランケット表面を覆う事ができるため印刷パターンの特性によってブランケットパイリング防止効果が阻害される部分なくブランケットパイリングを防止することが出来る。
【００１５】
請求項３ 記載のブランケットパイリング防止方法は、前記印刷機が多色刷り印刷機であって、多色刷りの見当合わせの基準となる印刷ユニットの版胴を変位させる事を特徴とする。
【００１６】
この請求項３ 記載のブランケットパイリング防止方法によれば、多色刷りの見当合わせの基準となる印刷ユニットのブランケットパイリングを防止でき、さらに、基準以外の印刷ユニットも見当合わせ動作により基準印刷ユニットの変位に追従するから同様にブランケットパイリングが防止される。
【００１７】
請求項４ 記載のブランケットパイリング防止方法は、前記多色刷り印刷機の見当合わせの基準となる印刷ユニットの版胴を変位させる変位巾が、基準印刷ユニット以外の版胴の、見当合わせのための追従動作範囲より大きい事を特徴とする。
【００１８】
この請求項４ 記載のブランケットパイリング防止方法によれば、基準となる印刷ユニットの変位に対して基準以外の印刷ユニットの見当合わせ動作が逆方向となって変位動作が相殺され、該印刷ユニットの版胴とブランケット胴の位置関係が固定されるために発生するブランケットパイリングを防止できる。
【００１９】
請求項５ 記載のブランケットパイリング防止方法は、前記多色刷り印刷機の見当合わせの基準印刷ユニット以外の印刷ユニットでは見当合わせ位置を中心に所定の範囲で版胴を揺動変位させる事を特徴とする。
【００２０】
この請求項５ 記載のブランケットパイリング防止方法によれば、基準印刷ユニット以外の印刷ユニットで見当合わせ動作のみでは版胴とブランケット胴の相対位置関係の変位が不十分となりブランケットパイリングが発生する状態になっても、見当合わせ位置を中心に見当不良にならない範囲で版胴を揺動させるから、係る場合でもブランケットパイリングを防止できる。
【００２１】
請求項６ 記載の印刷機は、オフセット輪転印刷機において、ブランケット胴に対する版胴の相対位置を変位させる版胴位置制御信号に基づき版胴の位置を制御する版胴位置制御手段と、予め設定された、版胴の回転に従った版胴の変位動作を記憶し、版胴の回転信号に従って版胴の変位動作にかかる版胴位置制御信号を出力する変位動作制御手段を具備し、前記変位動作制御手段からの版胴位置制御信号を含む版胴位置制御信号により、ブランケット胴に対する版胴の相対位置を変位させ、前記請求項１乃至５のいずれか一項に記載の方法によりブランケットパイリングを防止することを特徴とする。
【００２２】
この請求項６ 記載の印刷機によれば、版胴とブランケット胴の相対位置の、適切な設定の変位動作をしつつ印刷を行えるから所望の品位の印刷を安定して行うことが出来る。
【発明の効果】
【００２３】
以上説明したように、本発明のブランケットパイリング防止方法および印刷機によれば印刷に使用するインキや用紙の特性、印刷絵柄の特性、製品の品質仕様などに応じて版胴とブランケット胴の相対位置の変位動作を適切に設定できるから所望の品位の印刷を安定して行うことが出来る。また、変位動作を版胴側で行う場合は、印刷機の見当合わせ機構をそのまま利用することが出来るから、印刷機の改造など高額な費用を必要とせず、見当合わせの制御手段にブランケットパイリング防止の変位動作手段を追加するだけの安価な方法で実現できる。
【発明を実施するための最良の形態】
【００２４】
以下、図面を参照して、この発明の実施形態の説明を行う。図１は通常のオフセット印刷機の構成の一例を模式的に示したもので、印刷される用紙はロール形態で給紙部に供給され、このロールから巻き出された用紙は印刷部の４印刷ユニット（１Ｕ〜４Ｕ）を通過しながら表裏同時に順次４色の印刷が行われる。印刷後に見当検出手段３により印刷された各色の見当マークを光学的に読みとり、基準として指定した印刷ユニットの見当マークに対する基準以外の印刷ユニットのそれぞれの見当マークの相対位置を取得し、それらの相対位置の設計値からの偏差を算出して、それぞれの印刷ユニットにフィードバックして見当合わせ動作を行う。見当検出手段３を通過した用紙はドライヤー部以降の工程を経て排出される。印刷ユニット１Ｕ〜４Ｕの版胴１やブランケット胴２は通常一式の原動部から駆動軸や歯車列で連結し同期して回転駆動されているが、版胴１はこれらの駆動系に対して見当調整機構を介して連結しており、ブランケット胴に対して回転方向および回転軸方向に、それぞれ独立して制御部からの信号に基づき相対位置を変位させる様構成されている。
【００２５】
図２は本発明にかかる印刷機の構成を説明する図である。印刷機制御部１０は前記見当検出手段３による見当マークの相対位置情報を受け、それぞれの印刷ユニット１４へのフィードバック信号７を版胴位置制御手段１３に出力する。また、印刷開始前の各版胴位置の粗調整信号６を版胴位置制御手段１３に出力し各版胴、ブランケット胴、印刷用紙の位置関係を所定の関係に調整する。
【００２６】
変位動作制御手段１２は、変位動作入力手段１１からの情報４に基づいた印刷中のブランケットパイリング防止に係る変位動作を記憶し、印刷機制御部１０からの版胴の回転信号５に従って順次変位動作信号８を版胴位置制御手段１３に出力する。版胴位置制御手段１３は前記粗調整信号６、見当合わせのフィードバック信号７、変位動作信号８の３種の版胴動作信号を受け、それらを合成した位置に各版胴を移動すべく各印刷ユニット１４の各版胴駆動部に動作信号９を出力する。
【００２７】
変位動作入力手段１１から入力する情報は、変位動作開始時点からの版胴の累積回転数ｎに対応した変位位置が確定出来る情報であればよく、回転数ｎを変数とした関数形式で設定してもよいし、また、１回転毎や数回転毎の回転数ｎに対応した変位位置を指定してもよい。変位動作制御手段１２は前記変位動作情報を記憶し、印刷機制御部１０からの回転信号５を計数した回転数ｎにより版胴の回転毎に関数計算で変位位置を求めて順次変位動作信号８としても良いし、予め記憶した回転数ｎと変位位置の対応テーブルから該当する変位位置を読み出して変位動作信号８としても良い。
【００２８】
変位動作入力手段１１で設定する変位動作は、変位動作の最小単位、例えば１０μｍ、毎に設定するのが好ましく数回転から数１０回転に１回最小単位の変位をさせることで各印刷ユニット間の見当変動や用紙の蛇行などの問題を回避できる。一般的にブランケットパイリングによる品質不良は数千回転で発生すると云われているから前記の変位動作でブランケットパイリングを防止するに充分な変位量を得ることが出来る。
【００２９】
図３は変位動作の第一の例を示すもので、図３（ａ）に示すように回転数に対する回転方向変位１５、回転軸方向変位１６は共に周期的三角波で互いの位相差を９０度に設定したものである。この設定ではブランケット胴に対する版胴の変位軌跡は図３（ｂ）に示すような図形をなし版胴の回転に従って図３（ｂ）の四角形上を周回する。変位させる各軸の変位速度は一定で設定が簡単であり、しかも面積のある領域を周回するので絵柄に依存せずブランケットパイリングが防止できる。
【００３０】
図４は変位動作の第二の例を示すもので、図４（ａ）に示すように回転数に対する回転方向変位１５、回転軸方向変位１６は共に周期的三角波であるが回転方向変位の周期を回転軸方向に比べて大幅に短縮した設定としている。この設定ではブランケット胴に対する版胴の変位軌跡は図４（ｂ）に示すような図形を描き版胴の回転に従って変位範囲全面を密に走査する軌跡をなす。この様な設定では版胴の回転毎にブランケットに転移する印刷絵柄の軌跡は隙間なくブランケット面を覆う事ができるためさらに良好な防止効果が得られる。
【００３１】
図５は変位動作の第三の例を示し、請求項６に係るブランケットパイリング防止方法を説明するものである。基準印刷ユニットに本発明の版胴変位動作を行わない場合、見当合わせの基準印刷ユニット以外の印刷ユニットでは見当合わせ動作が成り行きになるため見当が一致する版胴の位置１８が一定期間固定しブランケットパイリングが発生する状態になる可能性がある。これに対し見当が一致する位置を中心に見当不良にならない範囲、例えば±１０μｍの範囲で版胴を短い周期で揺動させる変位動作１７を行えば係る場合でもブランケットパイリングを防止できる。また、基準ユニットに見当追従動作１８の範囲より充分に大きい範囲で変位動作を加えれば、基準以外のユニットの版胴は見当合わせ動作で追従するから基準ユニットの変位動作周期を越える長期間ブランケット胴との位置関係が固定することなく良好なブランケットパイリング防止効果が得られる。
【００３２】
以上説明した本発明のブランケットパイリング防止方法を具体的に実施した事例を示す。
４色平版オフセット印刷機において見当合わせの基準とした印刷ユニットに図３で示す形態の変位動作で変位巾を各軸±５００μｍ、変位速度を版胴１０回転毎に１０μｍと設定し下記印刷条件で印刷を実施したところ、従来約５０００回転で発生していたブランケットパイリング起因の品質劣化が本発明の変位動作を加えることで約２倍の１０，０００回転まで品質劣化を発生させずに印刷を行うことが出来た。
（印刷条件）
印刷機      ：ＬＩＴＨＯＰＩＡ ＮＥＯ  ＢＴ２（三菱重工）
用紙        ：ＯＫトップコート（王子製紙）
版          ：ＨＰ−Ｆ（ＦＵＪＩ）
インキ      ：ＷＳＬ―ＳＯＹＢＩ   ＶＩＳＴＡ（インクテック）
印刷速度    ：８００ｒｐｍ
エッチ液    ：ＥＣＯＬＩＴＹ（ＦＵＪＩ）  ２％希釈
ブランケット：ＭＣ−２６Ｖ（金陽社）
【図面の簡単な説明】
【００３３】
【図１】通常のオフセット印刷機の構成の一例を示す図
【図２】本発明にかかる印刷機の構成を説明する図
【図３】変位動作の第一の例を示す図
【図４】変位動作の第二の例を示す図
【図５】変位動作の第三の例を示す図
【符号の説明】
【００３４】
１    版胴
２    ブランケット胴
３    見当検出手段
４    変位動作入力手段からの出力情報
５    版胴の回転信号
６    版胴位置の粗調整信号
７    見当合わせフィードバック信号
８    変位動作信号
９    版胴動作信号
１０    印刷機制御部
１１    変位動作入力手段
１２    変位動作制御手段
１３    版胴位置制御手段
１４    印刷ユニット
１５    回転方向変位
１６    回転軸方向変位
１７    請求項６記載の変位動作の一例
１８    見当が一致する版胴の位置
【図１】
2009262507.tif 000003
【図２】
2009262507.tif 000004
【図３】
2009262507.tif 000005
【図４】
2009262507.tif 000006
【図５】
2009262507.tif 000007